(57)【要約】【課題】本発明は管理対象外利用者のプレゼンス管理方式に関し，プレゼンスサーバの管理対象外（プレゼンス機能のない）利用者の端末の加入者情報についてもプレゼンス情報を管理することを可能にすることを目的とする。【解決手段】ＩＰ対応の端末間をネットワークを介してセッションを形成する制御を行うＳＩＰサーバとプレゼンスサーバとを備え，ＳＩＰサーバは管理対象外の端末からの制御要求を含むメッセージを受け取ると対応した端末状態を含む情報をプレゼンスサーバに通知する手段を備え，プレゼンスサーバは管理対象外の端末のプレゼンス情報を格納する擬似プレゼンスユーザデータ格納部を備え，端末情報を含む情報が通知されて管理対象外利用者の端末であることを判別すると，その利用者のプレゼンス情報を擬似プレゼンスユーザデータ格納部に設定し，その情報は他のプレゼンス機能を持つ端末のために参照されるよう構成する。【選択図】図１
2008301303.tif 000002
【特許請求の範囲】
【請求項１】
ＩＰ対応の端末間のセッションを形成する制御を行うＳＩＰサーバと前記ＳＩＰサーバの利用者のプレゼンス情報を管理するプレゼンスサーバとを備えたネットワークにおける管理対象外利用者のプレゼンス管理方式において，
前記ＳＩＰサーバはプレゼンスの管理対象外の利用者の端末からの制御要求を含むメッセージを受け取ると対応した端末状態を含む情報をプレゼンスサーバに通知する手段を備え，
前記プレゼンスサーバは前記管理対象外の利用者の端末のプレゼンス情報を格納する擬似プレゼンスユーザデータ格納部を備え，
前記端末情報を含む情報が通知されると当該通知に含まれた端末が管理対象外利用者の端末であることを判別すると，当該端末の利用者のプレゼンス情報を前記擬似プレゼンスユーザデータ格納部に設定し，
前記擬似プレゼンスユーザデータ格納部に設定された利用者のプレゼンス情報は，他の管理対象の利用者の端末のために参照されることを特徴とする管理対象外利用者のプレゼンス管理方式。
【請求項２】
請求項１において，
前記プレゼンスサーバは，他の管理対象の利用者の端末から自端末のプレゼンス情報の参照を許可するか否かが予め登録されたプレゼンス参照許可データ格納部を備え，
前記ＳＩＰサーバから前記通知を受け取ると，前記プレゼンス参照許可データ格納部を参照して，許可することが登録されていると，前記擬似プレゼンスユーザデータ格納部へプレゼンス情報を設定することを特徴とする管理対象外利用者のプレゼンス管理方式。
【請求項３】
請求項１において，
前記擬似プレゼンスユーザデータ格納部は各ユーザ用のデータ領域の使用状態を各領域に対応したフラグで表すデータ登録空塞表を備え，前記プレゼンスサーバは前記データ登録空塞表を参照して領域を管理することを特徴とする管理対象外利用者のプレゼンス管理方式。
【請求項４】
請求項３において，
前記各ユーザのデータ領域に登録するプレゼンス情報は，登録時の日付・時間と通知された状態を表す情報とを備え，
前記プレゼンスサーバは，予め設定された周期で起動して，利用者用のデータ領域が塞がりに設定され，そのデータ領域のプレゼンス情報が「未ログイン」の状態であると現在の時間と前記登録された時間情報が予め設定された時間を経過しているか判別し，設定された時間を越えていることを検出すると前記データ登録空塞表の対応するフラグをオフに設定することを特徴とする管理対象外利用者のプレゼンス管理方式。
【発明の詳細な説明】
【技術分野】
【０００１】
本発明は，ＳＩＰのプロトコルを用いたＩＰ電話技術においてプレゼンス情報（状態情報）の参照を可能となるプレゼンス・サービス（状態参照サービス）を，プレゼンス通知機能を備えない管理対象外利用者の端末に対して提供することができる管理対象外利用者のプレゼンス管理方式に関する。
【背景技術】
【０００２】
インターネット上でのマルチメディアの通信を実現する基盤となるプロトコルとしてＩＥＴＦ（Internet Engineering Task Force)においてＳＩＰ（Session Initiation Protocol)という通信プロトコルが標準化されている（ＲＦＣ３２６１等）。ＳＩＰではプレゼンス情報（端末の状態）をパケットによりプレゼンスサーバで収集し，呼制御を行うＳＩＰサーバ（またはセッション制御サーバ）による接続制御においてプレゼンス情報を利用する。
【０００３】
このプレゼンス情報は，ＩＭ(Instant Message) の技術と同様にメッセージを送信しようとする相手がオンラインになった時送信相手先にメッセージが通知される仕組みである。この技術によりユーザ宅内のＰＣ（パーソナルコンピュータ）等から自プレゼンス（状態）を登録・変更することが可能であり，同じネットワーク・サービスに加入しているユーザ同士は相手のプレゼンス（状態：オフライン，ログイン中，取り込み中，・・・等）を確認することによりＶＯＩＰ（Voice Over IP)通信開始可能か，またはチャット開始可能か，等を判断することができる。
【０００４】
また，ＳＩＰによるインスタントメッセージングとプレゼンスについてのＳＩＭＰＬＥ（SIP for Instant Messaging and Presence Leveraging Extensions) という名称のＩＥＴＦの名称で知られている。
【０００５】
従来のプレゼンス情報を利用するシステムでは，ＩＰ通話機能を備えた端末にプレゼンス情報を通知する機能を実装している必要があり，そのように機能を実装することができない端末，例えば，ＩＰ電話機の基本機能であるダイヤル機能等の発・着信機構と送・受話機能だけを備えるプレゼンスの管理対象外の利用者の端末にはプレゼンス情報を用いたサービスを提供できない。
【０００６】
図６は従来のプレゼンス機能を持つ端末（プレゼンス管理対象の端末）を含むシステムの構成を示す図である。図中，５０はプレゼンス情報の通知機能を持つ端末であり，図６の例はパソコン（パーソナルコンピュータ）の場合である，５１は端末５０とネットワーク（インターネット）で接続されてＳＩＰプロトコルによる呼制御を行うＳＩＰサーバ，５１０は自局収容加入者（プレゼンス機能の有無に関係なく）の各端末のログイン（使用中），ログアウト（空き）という，呼制御に必要な情報を保持する自局収容加入者データ格納部，５２は加入者のプレゼンス情報を管理してユーザに提供するサービスを行うプレゼンスサーバ，５２０はプレゼンス機能を備えた各端末のユーザについてのプレゼンス情報（ログイン，通話中，ログアウト，取り込み中，離席状態，等の各種の状態を含む）を格納するプレゼンスユーザデータ格納部である。
【０００７】
図６のシステムでは，端末５０からの「ＲＥＧＩＳＴＥＲ」（ユーザのＵＲＩ登録），「ＩＮＶＩＴＥ」（セッション参加要求），「ＢＹＥ」（セッション終了），「ＮＯＴＩＦＹ」（要請されたイベントの通知），等のメッセージが発生すると，ＳＩＰサーバ５１とプレゼンスサーバ５２に同時に送られる。ＳＩＰサーバ５１では信号受付部５１ａで受付けて，信号分析部５１ｂで信号が分析され，分析により得られた端末５０の状態の情報が信号処理部５１ｃにより自局収容加入者データ格納部５１０に書き込まれる。プレゼンスサーバ５２でもＳＩＰサーバ５１と同様の構成である信号受付部５２ａ，信号分析部５２ｂ，信号処理部５２ｃで受け取ったメッセージについて処理が行われて状態情報がプレゼンス状態変更部５２ｄに供給されると，プレゼンスユーザデータ格納部５２０の当該端末５０のユーザデータに対応するデータを状態情報に応じて書き込む。
【０００８】
なお，プレゼンスユーザデータ格納部５２０には，ユーザ名（ｎ）毎に情報を格納する領域が設けられ，日付，時間（ログイン，接続，切断）５２０ａ，プレゼンス状態の情報（通話中，ログアウト，取り込み中，離席中，・・・等）５２０ｂ，更に「気に入りリスト」５２０ｃとして，当該ユーザ名の状態情報が変更された時に，変更された状態情報を通知しても良い相手として予め登録された他のユーザ（端末）のリストが設定されている。プレゼンスサーバ５２がプレゼンス状態変更部５２ｄでデータを書き込んだ後，気に入りデータ処理部５２ｅが駆動されてプレゼンスユーザデータ格納部５２０の当該ユーザ（端末５０）のために登録された「気に入りリスト」を参照して，リストに登録された各相手先に対して変更されたばかりの状態情報を通知（ＮＯＴＩＦＹ：メッセージを送信）する処理を行う。
【０００９】
プレゼンス機能を持たない端末を含むプレゼンス情報の管理を行う技術が提案され（特許文献１参照），図７及び図８を用いて説明する。図７はＳＩＰサーバとプレゼンスサーバの関係を示す構成を示し，図８はプレゼンス機能を持たない端末を含む提案された構成を示す。図７において，６０ａ，６０ｂはプレゼンス機能（プレゼンス情報通知機能）を持つ端末，６１はネットワークを介して形成された通話路，６２ａ〜６２ｃはセッション制御サーバ（ＳＩＰサーバと同じ），６３はプレゼンスサーバである。６２ａ〜６２ｃはそれぞれの管理対象の端末（６０ａ，６０ｂ等）からの各種の要求を受け取ると，要求された処理（セッションの設定等，切断等）を行うと共に，上位のプレゼンスサーバ６３に対して端末の状態情報に送信する。プレゼンスサーバ６３は受け取った状態を，内部に設けた各ユーザに対応して設けられたプレゼンス情報用の領域に受け取った状態を設定する（時間情報等を含む）。
【００１０】
図８において，６０ｃはプレゼンス情報通知部６００を備えたプレゼンス機能を持つ端末，６０ｄ，６０ｅはプレゼンス機能を持たない端末，６２はセッション制御サーバ（ＳＩＰサーバ），６２０はプレゼンス機能を持つ端末６０ｃからのパケット中継部，６２１はプレゼンス状態更新部，６３はプレゼンスサーバ，６３０はプレゼンス情報管理部である。
【００１１】
プレゼンス情報通知機能を備える端末６０ｃはプレゼンス情報が更新されるとセッション制御サーバ６２にパケットが送られ，これをパケット中継部６２０で受け取るとプレゼンスサーバ６３に送られ，プレゼンス情報管理部６３０で保持されて管理が行われる。一方，プレゼンス情報通知機能を持たない従来のＩＰ電話機等の端末６０ｄ，６０ｅの場合は，セッション制御用のパケットがセッション制御サーバ６２に送られるが，プレゼンス状態更新部６２１はプレゼンス情報通知機能を持たない端末６０ｄや６０ｅ等のセッションを監視する中で状態の変更が発生して，状態がある特定状態に遷移したことを検出すると端末のアドレスと共に状態が更新されたことを表す情報をプレゼンスサーバ６３に対して通知する。プレゼンスサーバ６３は受け取った情報に基づいてプレゼンス情報管理部６３０の情報を設定する。
【特許文献１】特開２００５−２０６５２号公報（図１と図１１）
【発明の開示】
【発明が解決しようとする課題】
【００１２】
上記特許文献１の技術では，自律的にプレゼンス情報の登録・更新を行う機能を持たない端末（図８の６０ｄ，６０ｅのユーザ）に対しては，ネットワーク・サービス側でプレゼンスサーバとＳＩＰ制御サーバ間で連携することにより，そのユーザがＶＯＩＰ通信中状態か否かをプレゼンス管理することができ，そのユーザ状態を他ユーザに状態通知することも可能となるが，ＳＩＰ制御サーバ及びプレゼンスサーバのそれぞれでユーザ情報が登録されていることが前提である。
【００１３】
しかし，一般的なネットワーク・サービスとしては元々，自プレゼンス状態を通知できないユーザ端末（例えば，ＶＯＩＰ機能のみを備えた多機能電話機等のハードフォン等）は，通常ＶＯＩＰユーザ端末としてＳＩＰサーバ側で加入者情報を管理及びＳＩＰサーバ側で呼状態情報を保持する。従って，プレゼンスサーバ上に加入者情報として登録されていないユーザ端末（ハードフォン等）は，他ユーザからプレゼンス情報の参照を要求されても，ネットワーク・サービスとしてプレゼンス通知を行うことができないという問題があった。
【００１４】
本発明はプレゼンスサーバに加入者情報として登録されていない管理対象外（プレゼンス機能を持たない）の利用者の端末の加入者情報についてもプレゼンス情報を管理することを可能にする管理対象外利用者のプレゼンス管理方式を提供することを目的とする。
【課題を解決するための手段】
【００１５】
図１は本発明の原理構成を示す図である。図中，１はＶｏＩＰ（Voice Over IP)による音声通信を行うプレゼンス情報の管理対象外（プレゼンス機能を持たない）利用者の端末，２はＳＩＰサーバ，２ａは信号受付部，２ｂは信号分析部，２ｃは信号処理部，２０は自局収容加入者データ格納部であり，２ａ〜２ｃ，２０はＳＩＰのプロトコルによるセッションの接続，切断の制御を行うＳＩＰサーバ（上記従来のプレゼンス機能を備えた端末に対するシステム（図６参照）のＳＩＰサーバと同じ）。２ｄはプレゼンスサーバ通知部である（上記図８に示す特許文献１のＳＩＰ制御サーバが備えるプレゼンス状態更新部６２１に対応する）。３はプレゼンスサーバ，３ａは信号受付部，３ｂは信号分析部，３ｃは信号処理部，３ｄはプレゼンス状態変更部，３ｅは気に入りデータ処理部，３０はプレゼンス参照許可データ格納部，３１は擬似プレゼンスユーザデータ格納部，３２はプレゼンス機能を持つ端末（ユーザ）のそれぞれのプレゼンスユーザデータを格納した既存プレゼンスユーザデータ格納部，４は保守端末，５はプレゼンスサーバの管理対象（プレゼンス機能をもつ）端末（パソコン等）である。
【００１６】
図１の３ａ〜３ｄ，３２の各部は上記従来のプレゼンス機能を備えた端末に対応するシステム（図６参照）のプレゼンスサーバが備える構成要素と同じである。なお，図１の端末１，ＳＩＰサーバ２，プレゼンスサーバ３（保守端末４を含む），端末５の各装置はインターネットのようなＴＣＰ／ＩＰのネットワークに接続されている。
【００１７】
本発明はプレゼンスサーバの管理対象外（プレゼンス機能を持たない）利用者の端末について予め自端末のプレゼンス情報を他のユーザに知らせることを許可している場合，プレゼンス情報を変化するメッセージが発生するとプレゼンスサーバにおいて仮のデータである擬似プレゼンスユーザデータ（プレゼンス情報）を設定して，そのデータの管理プレゼンスサーバで実行するようにしたものである。
【００１８】
保守端末４からの入力によりプレゼンスサーバ３の管轄対象となる各端末のユーザの希望を予め受け取って自分の端末（プレゼンス機能を持つか否かに関係ない）の状態を他のユーザに知らせることを許可するか否かの情報をプレゼンス参照許可データ格納部３０に登録しておく。また，既存プレゼンスユーザデータ格納部３２にはプレゼンス機能を持つ端末のためのプレゼンス情報が格納されており，その内容は上記図６に示す同じ名称のプレゼンスユーザデータ格納部５２０と同様のデータが格納される。擬似プレゼンスユーザデータ格納部３１は本発明によりプレゼンス機能を持たないユーザの端末１のための状態データを格納するために設けたものである。
【００１９】
プレゼンス機能を持たない管理対象外利用者の端末１からのＳＩＰまたはＳＩＭＰＬＥに従った各種のメッセージ（ＲＥＧＩＳＴＥＲ，ＩＮＶＩＴＥ，ＢＹＥ等）の要求に対応した状態を表す情報が入力すると，信号受付部２ａ，信号分析部２ｂの処理を経て，分析結果に従って信号処理部２ｃは自局収容加入者データ格納部２０の当該端末１の状態を書込む。なお，自局収容加入者データ格納部２０を参照して当該端末１のプレゼンス機能の有無を判断し，端末１のメッセージの内容や端末１の機能の情報はプレゼンスサーバ通知部２ｄからプレゼンスサーバ３に通知される。これを受けたプレゼンスサーバ３はＳＩＰサーバ２と同様の構成である信号受付部３ａ，信号分析部３ｂを経て分析結果が信号処理部３ｃに供給される。信号処理部３ｃは分析結果に基づく処理をプレゼンス状態変更部３ｄに出力する。この時，端末１のユーザ名に対応した端末の機能（プレゼンス機能を持つ管理対象利用者か，プレゼンス機能を持たない管理対象外利用者か）も伝えられ，プレゼンス状態変更部３ｄはプレゼンス参照許可データ格納部３０を参照して「許可」に設定されていることが検出されて，管理対象外利用者の端末である場合は，擬似プレゼンスユーザデータ格納部３１を参照し，当該端末１のユーザ名が登録されているか判別し，登録されてないと新たにこのユーザ名（端末１）に対応したエリアを確保し，この時の状態（ログインやログオフ等）や，時間情報等のプレゼンス情報を登録し，既に登録されている場合は，当該ユーザについて登録された時刻と状態を更新する。プレゼンス機能を持つ端末からの要求については上記図６に説明した従来例と同様の既存プレゼンスユーザデータ格納部３２に登録して，その状態は予め登録された他のプレゼンス機能を持つ端末５に対してプレゼンス通知（ＮＯＴＩＦＹ）される。
【００２０】
利用者（端末）の状態が切断状態になって擬似プレゼンスユーザデータ格納部３１に設定された場合，プレゼンスサーバ３のプレゼンス状態変更部３ｄが一定周期で擬似プレゼンスユーザデータ格納部３１をチェックして，切断状態になったユーザを検出すると，そのデータを削除する。
【発明の効果】
【００２１】
本発明によりプレゼンス管理対象利用者の端末から，プレゼンス管理対象外利用者の端末のプレゼンス情報（ログイン中，話中，未ログイン，ログアウト，及び通信履歴の状態等）の参照が可能となる。これにより，プレゼンス管理対象外利用者の端末を呼び出したい場合にその状態を参照することで呼び出す前に相手状態に応じて呼び出しを行うか否かを決定し，効率的に相手と通信することができる。
【発明を実施するための最良の形態】
【００２２】
図２は実施例のシステムのブロック構成を示す図である。図中，１，２，３，４，５はは上記図１に示す同一符号の各部と同じであり，１はプレゼンス機能を持たないプレゼンス管理対象外利用者の端末，２はＳＩＰサーバ，２０は自局収容加入者データ格納部，２１はＳＩＰサービス受付部，２２はＳＩＰ信号分析部，２２０〜２２２は端末から発生したＳＩＰ（またはＳＩＭＰＬＥ）による呼制御のメッセージを分析して対応した処理を行う処理部であり，２２０はＵＲＬを登録する処理を行うＲＥＧＩＳＴＥＲ処理部，２２１はセッション参加要求の処理を行うＩＮＶＩＴＥ処理部，２２２はセッションのキャンセル処理を行うＢＹＥ処理部，２３はプレゼンスサーバに対してメッセージを通知するプレゼンスサーバ通知処理部である。３はプレゼンスサーバ，３０はプレゼンス参照許可データ格納部，３１は擬似プレゼンスユーザデータ格納部，３２は既存プレゼンスユーザデータ格納部，３３はプレゼンス信号分析部，３４はユーザ分析部，３５は呼状態受付部，３６はプレゼンス管理対象ユーザ管理部，３７は擬似プレゼンスユーザ管理部，３７０はデータエリア捕捉部，３７１は時刻設定部，３７２はプレゼンス設定部，３８は周期起動受付部，３８０は保留時間判定部，３８１は現在時刻収集設定部，３９は既存プレゼンスサーバユーザデータ格納部３２の各ユーザに対応して，気に入りリストに登録された対象者に対して状態の変化の通知を行う気に入り登録対象者への通知部である。４は保守端末，５はプレゼンス機能を持つ（管理対象の）利用者の端末（パソコン等）である。
【００２３】
擬似プレゼンスユーザデータ格納部３１において，３１０はデータ登録空塞表であり，各ユーザ用のデータ領域である３１１〜３１ｎの空，塞に対応したビットの列が設けられ，ユーザが割り当てられた塞の場合は「１」，割り当てられてない（未使用）の場合は「０」が設定される。領域３１１〜３１ｎの中のユーザに割り当てられて使用されている各領域には複数項目のデータで構成され，３１１はユーザ名(1) に関するデータであり，３１１ａはユーザ名，３１１ｂは（ログイン／接続／切断等）の日付，時間，３１１ｃはプレゼンス状態（ログイン／通話中／ログアウト等）を表し，他の各ユーザの領域３１２〜３１ｎも同様のデータで構成される。
【００２４】
ＳＩＰサーバ２，プレゼンスサーバ３，プレゼンス機能を持たない端末１，保守端末４，プレゼンス機能を持つ端末５はインターネットのようなネットワークにより相互に接続されている。なお，ＳＩＰサーバ２及びプレゼンスサーバ３は，それぞれに含まれる各ブロックの機能を実行するハードウェアとして構成することができるが，ＣＰＵ，メモリ，通信インタフェースを含む入出力部とで構成する処理装置として構成しプログラムにより各部の機能を実行するように構成することができる。
【００２５】
図３乃至図５は実施例の各サーバの処理フローと装置間の動作シーケンスを示す（その１）〜（その３）である。プレゼンス機能を持たない端末１からＳＩＰサーバ２に対してＵＲＬ登録のためのメッセージ「Ｒｅｇｉｓｔｅｒ」を送信する（図３のａ）。これには，ユーザ名（端末１のユーザ），ユーザＩＰアドレス（ＩＰ−ＡＤＤＲ）が含まれており，ＳＩＰサーバ２はこれを受け取ると自局収容加入者データ格納部２０の当該加入者の状態を「ログイン」に設定し，この端末の種別（ハードフォン，ソフトフォン，プレゼンス有無（プレゼンス機能の有無）等）を判断し（図３のＳ２００），プレゼンスサーバ３に対して「Ｒｅｇｉｓｔｅｒ」のメッセージを送信する（図３のｂ）。このメッセージには，ＳＩＰヘッダオプションとして「サービス種別：コンテンツ配信サービス，ユーザ名」，「利用状況：ログイン」が設定されている。これを受けたプレゼンスサーバ３は，受信成功を表す応答（200 OK）をＳＩＰサーバ２に送信する（同ｃ）。プレゼンスサーバ３では受け取ったメッセージに含まれたユーザ名を確認し（図３のＳ３００），当該プレゼンスサーバ３にログインする（同Ｓ３０１）。続いて，プレゼンス参照許可データ格納部３０（図２）に前記のユーザ名があるか確認する（図３のＳ３０２）。このユーザがプレゼンス参照許容に設定されていないと，プレゼンスサーバ３は処理を中止するが，設定されていることが確認されると以下のステージＳ３０３〜３０８の処理が実行される。
【００２６】
最初に擬似プレゼンスユーザデータ格納部３１に該当するユーザデータの有無を確認し（図３のＳ３０３），存在しないことが確認されると，擬似プレゼンスユーザデータのエリアを確保して次の(1),(2) の処理を実行する（同Ｓ３０４）。確保したエリアの擬似プレゼンスユーザデータの(1) データ登録空塞表３１０のフラグをオンに設定し，(2) ユーザ名３１１ａを設定する。続いて，現在時刻収集後，擬似プレゼンスユーザデータ格納部３１のエリア３１１ｂに設定し（図３のＳ３０５），プレゼンス状態３１１ｃにログイン中の状態を設定する（同Ｓ３０６）。上記ステップＳ３０３でユーザデータが存在することが確認されると，現在時刻収集後，擬似プレゼンスユーザデータ格納部３１のエリア３１１ｂに設定し（図３のＳ３０７）。プレゼンスデータとして「ログイン中」をプレゼンス状態３１１ｃに設定する（同Ｓ３０８）。ＳＩＰサーバ２はプレゼンスサーバ３からの受信成功（図３のｃの200 OK）を受信すると端末１に対して受信成功（200 OK）を応答する（図３のｄ）。
【００２７】
その後，端末１からＳＩＰサーバ２に対し「ＩＮＶＩＴＥ」（セッション参加要求）を送信する（図４のｅ）。これにはユーザ名とセッションの相手（呼出し先）であるＳＩＰ−ＵＲＬが含まれている。ＳＩＰサーバ２はこれを受け取ると，通話相手である端末（プレゼンス機能を持つ）５に対してユーザ名（端末１のユーザ）を含む「ＩＮＶＩＴＥ」を送信する（図４のｆ）。これを受けた端末５から発呼側の端末１に対してリクエストが受信され処理中（呼出し中）であることを表す応答（180 RINGING)を返送し（図４のｇ），ＳＩＰサーバ２に対して応答（200 OK) を送信し（同ｈ），ＳＩＰサーバ２から端末１に対して応答（200 OK) を送信する（同ｉ）と共にプレゼンスサーバ３に対して「ＩＮＶＩＴＥ」のメッセージを「ＳＩＰヘッダオプション（サービス種別：コンテンツ配信サービス，ユーザ名，利用状況：サービス開始」を付加して送信する（同ｊ）。これを受け取ると応答（200 OK) をＳＩＰサーバ２に送信する（図４のｋ）と共にプレゼンス状態を通話中（話中）の状態に設定する（同Ｓ３１０）。
【００２８】
通話中の状態になると，プレゼンス参照許可データ格納部３０にユーザ名（端末１のユーザ名）があるか確認し（図４のＳ３１１），ユーザ名がある場合（他のユーザから参照することを許可している場合）は，擬似プレゼンスユーザデータ格納部３１に当該ユーザ名の該当データ有無の確認をし（同Ｓ３１２），存在する場合は現在時刻収集後，擬似プレゼンスユーザデータへ設定し（同Ｓ３１３），プレゼンスデータ「話中」を擬似プレゼンスユーザデータに格納する（同Ｓ３１４）。この後，メディアストリームの通信（マルチメディアの通信）が実行され（図４のｌ），端末５からメッセージ「ＢＹＥ」（セッションのキャンセル）をＳＩＰサーバ２に送信すると（同ｍ），端末１に「ＢＹＥ」が送信され（同ｎ），端末１からＳＩＰサーバ２に要求が成功した応答（200 OK) を送信し（同ｏ），ＳＩＰサーバ２から端末５に応答（200 OK) を送信する（同ｐ）。
【００２９】
この後，ＳＩＰサーバ２からプレゼンスサーバ３に対して「ＢＹＥ」のメッセージを送信する（図５のｑ）。これには，ＳＩＰヘッダオプションとして，サービス種別：コンテンツ配信サービス，ユーザ名，利用状況：サービス停止が付加されている。これを受け取ったプレゼンスサーバ３はＳＩＰサーバ２に対し応答（200 OK) を返し（図５のｒ），終話の状態となる（同Ｓ３１５）。次にプレゼンス参照許可データ格納部３０に当該ユーザ名があるか確認し（図５のＳ３１６），ある場合は擬似プレゼンスユーザデータ格納部３１に該当データの有無を確認し（同Ｓ３１７），ある場合は現在時刻収集後，擬似プレゼンスユーザデータ格納部の該当する領域に設定し（同Ｓ３１８），続いてプレゼンスデータ「未ログイン」を擬似プレゼンスユーザデータ格納部３１の該当する領域に設定する（同Ｓ３１９）。
【００３０】
プレゼンスサーバ３では，一定周期毎（例えば，３０分毎，１時間毎，２４時間毎，一週間に１回等）に起動する処理があり，起動するとデータ登録空塞表のフラグがオン，且つプレゼンス状態が未ログイン（切断）のものを検索するか，切断時刻（図５のＳ３１８の時刻）が規定値以上経過したか判別する（同Ｓ３２０）。そのようなデータを検出すると，擬似プレゼンスユーザデータ格納部３１のデータ登録空塞表３１０の該当データに対応するフラグ（ビット）をオフ（“１”）へ設定する（同Ｓ３２１）。これにより，当該データの領域が空き領域として設定される。
【００３１】
なお，上記図３〜図５の動作シーケンスには示されていないが，プレゼンスサーバ３は一定周期で起動させることで，ＳＩＰサーバ２に問合せを行い，プレゼンス機能を持つユーザ（端末）以外のユーザ状態を取得し，新規ユーザ情報として擬似プレゼンスユーザデータ格納部に保持（状態はログインまたは通話中等）に設定するように，処理を変更することができる。
【００３２】
また，気に入り登録対象者への通知部３９は，プレゼンス機能を持つ各ユーザ（端末）に対して既存プレゼンスユーザデータ格納部３２に登録された気に入りリストに登録された各相手先に対して従来の技術と同様に変更された状態情報を通知（ＮＯＴＩＦＹ）する処理を行う。
【００３３】
プレゼンス機能を持たない端末のプレゼンス情報を，他ユーザに参照可能とするかどうか（電話帳開示サービスのような）を，保守契約（プレゼンス参照許可）としてオペレータ保守端末（図２の４）から登録され，プレゼンスサーバ３のプレゼンス参照許可データ格納部３０に「プレゼンス参照許可フラグ」として登録される。プレゼンス参照許可データには，「許容・非許容フラグ」のみ設定する場合と，「許容・非許容フラグ」と「許容ユーザリスト」の場合とがある。
【００３４】
プレゼンスサーバ３が保持するプレゼンス機能を持たない端末（ユーザ）及びプレゼンス機能を持つ端末のプレゼンス情報は，プレゼンス機能を持つ端末からそれらの端末（ユーザ）の状態確認に利用する。
【図面の簡単な説明】
【００３５】
【図１】本発明の原理構成を示す図である。
【図２】実施例のシステムのブロック構成を示す図である。
【図３】実施例の各サーバの処理フローと装置間の動作シーケンス（その１）を示す図である。
【図４】実施例の各サーバの処理フローと装置間の動作シーケンス（その２）を示す図である。
【図５】実施例の各サーバの処理フローと装置間の動作シーケンス（その３）を示す図である。
【図６】従来のプレゼンス機能を持つ端末を含むシステムの構成を示す図である。
【図７】ＳＩＰサーバとプレゼンスサーバの関係を示す構成図である。
【図８】プレゼンス機能を持たない端末を含む提案された構成を示す図である。
【符号の説明】
【００３６】
１        プレゼンス機能を持たない端末
２        ＳＩＰサーバ
２ａ      信号受付部
２ｂ      信号分析部
２ｃ      信号処理部
２ｄ      プレゼンスサーバ通知部
２０      自局収容加入者データ格納部
３        プレゼンスサーバ
３ａ      信号受付部
３ｂ      信号分析部
３ｃ      信号処理部
３ｄ      プレゼンス状態変更部
３ｅ      気に入りデータ処理部
３２      既存プレゼンスユーザデータ格納部
３０      プレゼンス参照許可データ格納部
３１      擬似プレゼンスユーザデータ格納部
４        保守端末
５        プレゼンスサーバ機能を持つ端末
【図１】
2008301303.tif 000003
【図２】
2008301303.tif 000004
【図３】
2008301303.tif 000005
【図４】
2008301303.tif 000006
【図５】
2008301303.tif 000007
【図６】
2008301303.tif 000008
【図７】
2008301303.tif 000009
【図８】
2008301303.tif 000010